(57)【要約】【課題】  食事を摂らなかったり食事の分量を減らしたりする不健康なダイエット方法に代えて、リバウンドの心配などのない科学的で真に健康的なダイエットの実現が可能な食品を提供する。【解決手段】  タンパク質とγ（ガンマ）−オリザノールと豆類発酵抽出物とから成る。なお豆類発酵抽出物を大豆ゲニステインとすることが出来る。更にガルシニアを含んだりビタミンを含むものとすることが出来る。更に紫イペ、キャッツクロー、薫液、カルシウム、マグネシウム、茶葉抽出物、チャボトケイソウ、ホップエキス、イノシトールを含むものとすることが出来る。【選択図】  図１
0003108796.tif 000002
【実用新案登録請求の範囲】
【請求項１】
大豆タンパク質とγ−オリザノールと大豆ゲニステインとガルシニアとビタミンＢ群とを含んで成ることを特徴とするダイエット用の食品。
【請求項２】
さらに紫イペ、キャッツクロー、薫液、カルシウム、マグネシウム、茶葉抽出物、チャボトケイソウ、ホップエキス、イノシトールを含んで成る、請求項２に記載のダイエット用の食品。
【請求項３】
粉末状または顆粒状を呈している請求項１または請求項２に記載のダイエット用の食品。
【考案の詳細な説明】
【技術分野】
【０００１】  この考案は、従来のような不健康なダイエットではなく、真に健康的で効果的なダイエットを実践することが出来るようなダイエット用の食品に関するものである。
【背景技術】
【０００２】  従来より食事を摂らなかったり食事の分量を減らしたりするダイエット方法が盛んである。前者はそもそも人体に必要な栄養を摂らないのであるから痩せるのは当然であるが、不健康極まりなくまた危険な方法でもある。また後者としては例えばグルコマンナンなどの非消化性のゲル組成物を食べることにより物理的に摂取量を制限するダイエット方法がある。
【特許文献１】特になし
【考案の開示】
【考案が解決しようとする課題】
【０００３】  上記ダイエット方法は何れも不健康なダイエットであると言うことが出来る。またこのような方法の実践にはリバウンドの心配などがある。しかしながらダイエットは多くの人にとって切実な問題でもある。【０００４】  従ってこの考案は、科学的で真に健康的なダイエットの実現が可能な食品を提供することを課題とする。
【課題を解決するための手段】
【０００５】  上記課題は、大豆タンパク質とγ−オリザノールと大豆ゲニステインとガルシニアとビタミンＢ群とから成ることを特徴とするダイエット用の食品とすることにより達成される。【０００６】  タンパク質はこの食品の主体であり、各種ホルモンの合成に必要なアミノ酸を供給する。またカロリーはあるものの脂肪にはならず腹の満足感に寄与する。このものはエネルギーを生み出す力となる。タンパク質には大豆由来のものや乳精由来のものや鶏卵由来のものなどが任意に利用可能である。γ−オリザノールは抗酸化作用があり、体温上昇を促し血流を良好にする。またγ−オリザノールは成長ホルモンを増やし老化を防止して若返りに効果があり、この結果リバウンドしなくなるのである。ゲニステインには女性系の癌、例えば乳癌の予防作用がある。また男女共にダイエットによる骨量の減少を予防する作用がある。【０００７】  ガルシニアには糖分から脂肪を合成して蓄積するメカニズムを阻害する作用がある。なおギムネマやバナバ茶で代替することが可能である。【０００８】  またビタミンを含むものとすることが出来る。より好ましくはビタミンＣ、ビタミンＢ１、ビタミンＢ２、ビタミンＢ６、ビタミンＢ１２、ナイアシン、パントテン酸である。ビタミンは他の栄養素の働きを円滑に進めるのに必要不可欠な物質であり、三大栄養素をエネルギーに変えるときに生じる種々の化学反応を助けるほか、タンパク質や無機質を体の構成物質として使うときに補佐する役目も担っており、いわば体の潤滑油といった役所である。水溶性ビタミンであるビタミンＣは全身の組織の強化に役立ち、ビタミンＢ群は健康維持の補佐役となる。より具体的にはビタミンＣは血管、骨、筋肉の形成に必要なコラーゲンの生成を促進し、免疫力を高め、日焼け予防や鉄の吸収を助ける働きがある。ビタミンＢ１はエネルギーを作り出す糖質の代謝に不可欠な物質であり、体を動かす事によって消費量も増え、精神の安定を保つ作用がある。ビタミンＢ２は目や皮膚、口・鼻の粘膜の健康を保ち、正常に機能するように作用し、成長促進や細胞の再生にも不可欠であり、体質を強化する役割がある。ビタミンＢ６はタンパク質や脂肪の吸収・代謝を助け、体内でのタンパク質合成に不可欠な物質であり、中枢神経系を正常に働かせる役割を担う。ビタミンＢ１２はタンパク質や核酸の代謝を助け成長を促進し、赤血球の生成を促し貧血を防ぐ。ナイアシンは細胞の代謝や遺伝子の修復し、インスリンの合成などに関与し、血液循環を良好なものとし、コレステロールを低下させる働きがある。またパントテン酸は糖分やタンパク質の代謝酵素・コエンザイムの材料となり、中枢神経の発達を促し、副腎皮質の働きを強化し、解毒作用を現ずる。【０００９】  このような材料を組み合わせて成り、上述したような作用を現ずる食品はこれまでにはない新規なものである。すなわち血流を良好にし若々しさを取り戻させて身体を活性化させ、体に必要なカロリーを与えはするものの、脂肪にはならず腹に満足感を与えるため、健康的なダイエットに成功するのである。このダイエット用の食品を例えば一食分の食事と置き換えるのである。あるいは粉末状のもの、また顆粒状のものとしておき、好みのジュースやスープなど��混ぜたり料理に加えて摂るようにすることが出来る。またレトルト食品に混入させたりアイスクリームとして提供することも可能である。また菓子の形態でスティック状のものとすることが出来る。また人用の食品に限ることなく、ペットフードとしても提供し得る。【００１０】  なおさらに紫イペ、キャッツクロー、薫液、カルシウム、マグネシウム、茶葉抽出物、チャボトケイソウ、ホップエキス、イノシトールを含むものとしても良い。紫イペやキャッツクローには免疫力を高める作用がある。薫液例えば木酢液にはこれに含まれるポリフェノールの抗酸化作用があり、活性酸素の発生を抑えて生活習慣病や各種疾病に対する抵抗力を高める。カルシウムやマグネシウムは骨密度の増加に資する。茶葉抽出物やチャボトケイソウやホップエキスには精神を安定させてメンタルな飢餓感を癒す作用がある。イノシトールは神経系を正常な状態に保つ正に神経のビタミン的な役割を果たす。このようにして身体的な面からも精神的な面からもダイエットを成功に導くのである。【００１１】  なおこのものの提供形態として、粉末状または顆粒状を呈しているものとすると使い勝手が良い。
【考案の効果】
【００１２】  このダイエット用の食品は、栄養のあるものとしてきちんと食べる性質のものであると共に脂肪の蓄積を阻害することが出来ると言う、真に健康的な食品であり、リバウンドすることなくダイエットを成功に導くことが可能である。
【考案を実施するための最良の形態】
【００１３】  第１実施形態
図１乃至図３はこの考案の第１実施形態を表わす。この実施形態のダイエット用食品は図１で表わしたように粉末状食品１であり、大豆タンパク質１０とγ−オリザノール１１と大豆ゲニステイン１２とガルシニア１３とビタミンＢ群１４との混合物である。これ等の粉末は包装されて包剤５となっている。包剤２は密封可能な袋体２０の中に粉末状食品１を封入して成るものである。符号２１は袋体２０の周囲のシール部である（図２）。【００１４】  この包剤２すなわち粉末状食品１の用い方であるが、例えば図３で示すように朝食と夕食とを通常通り食べる一方、昼食の代わりにこの粉末状食品１を摂取するようにするのである。牛乳やヨーグルトやジュースなどに混ぜて食べるようにする。これで一日に必要な食事を終えるのであるが、昼食に関してはこの考案の粉末状食品１によって栄養が取れ、脂肪の蓄積が阻害され、満腹感を得ることが出来るのである。このようであるからこの実施形態の粉末状食品１はリバウンドの心配のない健康的なダイエット食品なのである。【００１５】  この粉末状食品１は、味噌汁や中華スープなどに混入出来る他、アイスクリームなどに練り込むことも可能である。また各種料理に加えることも出来る。【００１６】  第２実施形態
次に図４はこの考案の第２実施形態の説明図であるが、このものは上述の第１実施形態のものにさらに、紫イペ、キャッツクロー、薫液、カルシウム、マグネシウム、茶葉抽出物、チャボトケイソウ、ホップエキス、イノシトールを混入して成る。これ等は上述したように身体的な面からも精神的な面からもダイエットを成功に導くのに有効な成分である。【００１７】  第３実施形態
次に図５によってこの実施形態のタブレット状食品３を説明する。このものは上述した第２実施形態の混合物をタブレット状に固めて成るものである。従ってこのまま口に入れて食べることが出来る。【００１８】  第４実施形態
次に図６によってこの実施形態のスティック状食品４を説明する。このものは上述した第２実施形態の混合物をチョコレートで味を整えた後に、スティック状に固めて成るものである。従ってお腹が空いた時にこのまま食することが出来、そのまま健康的なダイエットが実践出来ることに成る。【００１９】  第５実施形態
次に図７によりこの実施形態のペレット状食品５を説明する。このものは上述した第２実施形態の混合物をペレット状に固めて成るものであり、ペットフードとしての提供を前提とした食品である。すなわちこれはペット用ダイエット食品なのである。なおこのペレット状食品５に、ペットの健胃、整腸、解毒用の胆汁エキスなどを混入させることも可能である。また消臭剤をスプレーするなども可能である。【００２０】  第６実施形態
次に図８によりこの実施形態の振り掛け容器入り食品６を説明する。このものは上述した第２実施形態の混合物を振り掛け容器に納めたものであり、この振り掛け容器の頂部は開孔部６１のある蓋部６０が被冠している。この振り掛け容器入り食品６の用い方であるが、第２実施形態の混合物を各種の料理に入れる際にはこの振り掛け容器から振り出すようにすればよい。
【産業上の利用可能性】
【００２１】  なおこの考案は上述した実施形態にのみ限定されず、缶詰やレトルト食品などに混入して提供するような形態が考えられる。
【図面の簡単な説明】
【００２２】
【図１】  第１実施形態の説明図である。
【図２】  同実施形態の平面図である。
【図３】  同実施形態の使用状態説明図である。
【図４】  第２実施形態の説明図である。
【図５】  第３実施形態の斜視図である。
【図６】  第４実施形態の斜視図である。
【図７】  第５実施形態の斜視図である。
【図８】  第６実施形態の斜視図である。
【符号の説明】
【００２３】１    粉末状食品
１０  大豆タンパク質
１１  γ−オリザノール
１２  大豆ゲニステイン
１３  ガルシニア
１４  ビタミンＢ群
２    包剤
２０  袋体
２１  シール部
３    タブレット状食品
４    スティック状食品
５    ペレット状食品
６    振り掛け容器入り食品
６０  蓋部
６１  開孔部
【図１】
0003108796.tif 000003
【図２】
0003108796.tif 000004
【図３】
0003108796.tif 000005
【図４】
0003108796.tif 000006
【図５】
0003108796.tif 000007
【図６】
0003108796.tif 000008
【図７】
0003108796.tif 000009
【図８】
0003108796.tif 000010
【手続補正書】
【提出日】平成16年12月17日(2004.12.17)
【手続補正１】
【補正対象書類名】実用新案登録請求の範囲
【補正対象項目名】全文
【補正方法】変更
【補正の内容】
【実用新案登録請求の範囲】
【請求項１】
大豆タンパク質とγ−オリザノールと大豆ゲニステインとガルシニアとビタミンＢ群とを構成要素とする、更に好ましくは紫イペとキャッツクローと薫液とカルシウムとマグネシウムと茶葉抽出物とチャボトケイソウとホップエキスとイノシトールとを含んだ、粉末組成物をタブレット、スティックまたはペレットに形成して成るダイエット用の食品。
【請求項２】
大豆タンパク質とγ−オリザノールと大豆ゲニステインとガルシニアとビタミンＢ群とを構成要素とする、更に好ましくは紫イペとキャッツクローと薫液とカルシウムとマグネシウムと茶葉抽出物とチャボトケイソウとホップエキスとイノシトールとを含んでいる、粉末状または顆粒状の組成物を開封可能な容器に納めて成るダイエット用の食品入り容器。
【手続補正３】
【補正対象書類名】明細書
【補正対象項目名】０００５
【補正方法】変更
【補正の内容】
【０００５】  上記課題は、大豆タンパク質とγ−オリザノールと大豆ゲニステインとガルシニアとビタミンＢ群とを構成要素とする、更に好ましくは紫イペとキャッツクローと薫液とカルシウムとマグネシウムと茶葉抽出物とチャボトケイソウとホップエキスとイノシトールとを含んだ、粉末組成物をタブレット、スティックまたはペレットに形成して成るダイエット用の食品とすることにより達成される。また上記課題は、大豆タンパク質とγ−オリザノールと大豆ゲニステインとガルシニアとビタミンＢ群とを構成要素とする、更に好ましくは紫イペとキャッツクローと薫液とカルシウムとマグネシウムと茶葉抽出物とチャボトケイソウとホップエキスとイノシトールとを含んでいる、粉末状または顆粒状の組成物を開封可能な容器に納めて成るダイエット用の食品入り容器とすることにより達成される。
【手続補正４】
【補正対象書類名】明細書
【補正対象項目名】０００９
【補正方法】変更
【補正の内容】
【０００９】  このような材料を組み合わせて成り、上述したような作用を現ずる食品はこれまでにはない新規なものである。すなわち血流を良好にし若々しさを取り戻させて身体を活性化させ、体に必要なカロリーを与えはするものの、脂肪にはならず腹に満足感を与えるため、健康的なダイエットに成功するのである。このダイエット用の食品を例えば一食分の食事と置き換えるのである。粉末状のものや顆粒状のものは好みのジュースやスープなどに混ぜたり料理に加えて摂るようにすることが出来る。またレトルト食品に混入させたりアイスクリームとして提供することも可能である。また菓子の形態でスティック状のものとすることが出来る。また人用の食品に限ることなく、ペットフードとしても提供し得る。